(57)【要約】【課題】ＵＳＢデバイスを活用することで、多様な機能を有する画像処理装置を利用する際のユーザ負担を軽減することのできる画像処理装置を提供する。【解決手段】画像処理装置１０の外部バス接続手段６０にＵＳＢデバイスが接続されると、外部バス接続手段６０はＵＳＢデバイスが接続されたことを検知し、ＵＳＢデバイス認識手段３０に通知する。通知を受けたＵＳＢデバイス認識手段３０は、接続されたＵＳＢデバイスの種類を特定する。画面選択手段４０や機械状態遷移手段５０は特定されたＵＳＢデバイスに対応した画面を選択して自動で表示したり、機械状態を自動で遷移させたりする。【選択図】図１
2005348125.tif 000002
【特許請求の範囲】
【請求項１】
ＵＳＢデバイスが接続されたことを検知する接続検知手段と、
前記接続検知手段がＵＳＢデバイスの接続を検知したとき、そのＵＳＢデバイスの種類を認識するＵＳＢデバイス認識手段と、
前記ＵＳＢデバイス認識手段で認識されたＵＳＢデバイスの種類に対応する画面を選択する画面選択手段と、
前記画面選択手段で選択された画面を表示する表示手段と
を有する
ことを特徴とする画像処理装置。
【請求項２】
ＵＳＢデバイスが接続されたことを検知する接続検知手段と、
前記接続検知手段がＵＳＢデバイスの接続を検知したとき、そのＵＳＢデバイスの種類を認識するＵＳＢデバイス認識手段と、
当該画像処理装置の機械状態を前記ＵＳＢデバイス認識手段で認識されたＵＳＢデバイスの種類に対応する機械状態に遷移させる機械状態遷移手段と
を有する
ことを特徴とする画像処理装置。
【請求項３】
前記機械状態遷移手段は、前記ＵＳＢデバイス認識手段で認識されたＵＳＢデバイスが保守用装置であるときは、機械状態を保守モードに遷移させる
ことを特徴とする請求項２に記載の画像処理装置。
【請求項４】
ＵＳＢホスト機能とＵＳＢデバイス機能とを併せ持つ
ことを特徴とする請求項１、２または３に記載の画像処理装置。
【発明の詳細な説明】
【技術分野】
【０００１】
本発明は、ＵＳＢデバイスを接続できる画像処理装置に関する。
【背景技術】
【０００２】
近年、デジタル複合機などの画像処理装置には、複写機としての機能のほかに、プリンタ、ファクシミリ装置としての機能など多様な機能を有しているものがある。このような多様な機能を扱うユーザの操作は、複雑で、負担が大きく、不便であった。
【０００３】
ところで、ＵＳＢ（Universal Serial Bus）が普及し、このＵＳＢを利用できる装置が増加してきている。ＵＳＢは、装置の電源をオンにした状態のままでデバイスを挿抜できる特性を有している。
【０００４】
この特性を利用して、ＵＳＢデバイスの接続の有無をユーザ操作の一種として扱うことで、デバイス接続に伴うユーザ操作の負担を軽減するようにした装置が種々提案されている。
【０００５】
たとえば、ＵＳＢの接続の有無でプリンタモードとファクシミリモードとを切り替える画像通信装置がある。また、デジタルカメラとプリンタとをＵＳＢで接続すると、そのプリンタの表示画面にデジタルカメラで撮影した画像ファイル名が表示されるプリントシステムなどがある（特許文献１または２参照。）。
【０００６】
【特許文献１】特開２００３−１５２９３３号公報
【特許文献２】特開２００１−２９０６１２号公報
【発明の開示】
【発明が解決しようとする課題】
【０００７】
上記の画像通信装置ではモードの切り替えをプリンタモードとファクシミリモードに限定しており、モードの選択は1つしかない。また、上記のプリントシステムでは、ＵＳＢで接続できるデバイスがデジタルカメラだけに限定されている。
【０００８】
このようにＵＳＢデバイスの接続の有無に基づく情報を単一の目的で利用しても、上記のような装置では、装置自体の機能が限られているので、その装置としてはＵＳＢを活用したユーザ負担の軽減が適切に図られていた。
【０００９】
しかしながら、画像処理装置は多様な機能を有しているので、ＵＳＢデバイスの接続の有無に基づく情報を単一の目的で利用しても、限られた範囲しか改善できず、ユーザ負担を充分に軽減することができなかった。
【００１０】
本発明は上記の問題を解決しようとするものであり、ＵＳＢデバイスを活用することで、多様な機能を有する画像処理装置を利用する際のユーザ負担を軽減することのできる画像処理装置を提供することを目的とするものである。
【課題を解決するための手段】
【００１１】
請求項１に係わる発明は、ＵＳＢデバイスが接続されたことを検知する接続検知手段（６０）と、
前記接続検知手段（６０）がＵＳＢデバイスの接続を検知したとき、そのＵＳＢデバイスの種類を認識するＵＳＢデバイス認識手段（３０）と、
前記ＵＳＢデバイス認識手段（３０）で認識されたＵＳＢデバイスの種類に対応する画面を選択する画面選択手段（４０）と、
前記画面選択手段（４０）で選択された画面を表示する表示手段（１８）と
を有する
ことを特徴とする画像処理装置である。
【００１２】
上記発明によれば、ＵＳＢケーブルを介して画像処理装置にＵＳＢデバイスを接続すると、当該画像処理装置はそのＵＳＢデバイスの種類に対応する画面を表示手段（１８）に表示する。
【００１３】
ＵＳＢは、ＵＳＢホストとＵＳＢデバイスという役割分担の明確な、いわゆるマスター／ターゲット型のインターフェイスである。ここでは、ＵＳＢデバイスが接続される画像処理装置がＵＳＢホストとしての機能を果たすようになっている。
【００１４】
ＵＳＢデバイスは、ＵＳＢデバイス用の接続端子を有し、ＵＳＢケーブルを介してＵＳＢホストと接続できるデバイス（周辺装置）である。たとえば、外部メモリ（７０）や保守用装置（７１）、キーボード（７２）、デジタルカメラ（７３）などがある。
【００１５】
接続検知手段（６０）は、接続されたＵＳＢデバイスからそのデバイスの種類を特定するための機器情報を取得するようになっている。
【００１６】
ＵＳＢデバイス認識手段（３０）は、接続検知手段（６０）が取得した機器情報と組み込まれているデバイスドライバに含まれる情報とを照合することでこの機器情報が示すデバイスの種類を特定するようになっている。
【００１７】
デバイスドライバは、画像処理装置に直接組み込んでもよく、いわゆるプラグアンドプレイ機能で組み込んでもよい。
【００１８】
画面選択手段（４０）は、ＵＳＢデバイスの種類とそれに対応する画面に割り当てたＩＤ番号とを予め対応付けて登録しておき、ＵＳＢデバイス認識手段が認識したＵＳＢデバイスの種類に対応する画面を先の登録内容に基づいて選択するように構成するとよい。
【００１９】
たとえば、キーボード（７２）が接続されると、キーボード（７２）からの各種入力を受け付けるための画面が選択され、デジタルカメラ（７３）が接続されると、画像ファイルの入力画面やプリントアウトする画像ファイルを選択するための画面などが選択されるようになっている。
【００２０】
請求項２に係わる発明は、ＵＳＢデバイスが接続されたことを検知する接続検知手段（６０）と、
前記接続検知手段（６０）がＵＳＢデバイスの接続を検知したとき、そのＵＳＢデバイスの種類を認識するＵＳＢデバイス認識手段（３０）と、
当該画像処理装置の機械状態を前記ＵＳＢデバイス認識手段（３０）で認識されたＵＳＢデバイスの種類に対応する機械状態に遷移させる機械状態遷移手段（５０）と
を有する
ことを特徴とする画像処理装置である。
【００２１】
上記発明によれば、ＵＳＢケーブルを介して画像処理装置にＵＳＢデバイスを接続すると、当該画像処理装置はそのＵＳＢデバイスの種類に対応する機械状態に遷移させる。
【００２２】
機械状態とは、特定の機能を選択したときの画像処理装置の状態をいい、たとえば、プリンタモードやファクシミリモード、保守モードなどがある。
【００２３】
請求項３に係わる発明は、前記機械状態遷移手段（５０）は、前記ＵＳＢデバイス認識手段（３０）で認識されたＵＳＢデバイスが保守用装置（７１）であるときは、機械状態を保守モードに遷移させる
ことを特徴とする請求項２に記載の画像処理装置である。
【００２４】
上記発明によれば、保守用装置（７１）が画像処理装置に接続されたときは、機械状態を保守モードに遷移させる。これにより、保守モードへ遷移するためのユーザ操作を省略できる。保守モードは、たとえば、サービスマンなどの特定の権限を有するものが当該画像処理装置のメンテナンスを行なうときの特別な機械状態をいう。
【００２５】
請求項４に係わる発明は、ＵＳＢホスト機能とＵＳＢデバイス機能とを併せ持つ
ことを特徴とする請求項１、２または３に記載の画像処理装置である。
【００２６】
上記発明によれば、当該画像処理装置は接続される装置によって、ＵＳＢホスト機能とＵＳＢデバイス機能とを使い分けることができる。
【００２７】
たとえば、デジタルカメラ（７３）や保守用装置（７１）などのＵＳＢデバイス装置が画像処理装置に接続されると、当該画像処理装置はＵＳＢホストとして機能する。
【００２８】
一方、端末装置やパーソナルコンピュータ（７４）などのＵＳＢホスト装置が画像処理装置に接続されると、当該画像処理装置はＵＳＢデバイスとして機能する。
【発明の効果】
【００２９】
本発明に係わる画像処理装置によれば、接続されたＵＳＢデバイスの種類を認識し、その種類に応じた画面を自動で表示するので、接続対象のＵＳＢデバイスを複数種類用意しておけば、目的とするＵＳＢデバイスを接続するだけで、その目的に合った画面に自動で移行し、多様な機能を有する画像処理装置を利用するユーザの操作負担を軽減することができる。
【００３０】
また、接続されたＵＳＢデバイスの種類に対応する機械状態に自動で遷移するものでは、目的とするＵＳＢデバイスを接続するだけで、その目的に合った機械状態に自動で遷移するので、目的の機械状態に遷移させるユーザの操作負担を軽減することができる。
【００３１】
特に、保守モードへ遷移させる操作は、一般のユーザを排除するなどのために、複雑になっていることが多いので、保守用装置の接続を検知し、自動で保守モードへ遷移させるものでは、サービスマンの操作負担を大幅に軽減することができる。
【００３２】
複合機などの画像処理装置は、原稿の読取部や印刷部などＵＳＢデバイスとしての機能を果たし得る機能部と、画像データの記憶部や高性能のＣＰＵ（中央処理装置）などＵＳＢホストとしての機能を果たし得る機能部の双方を備えているので、画像処理装置をＵＳＢホストにもＵＳＢデバイスにもなり得るように構成したものでは、画像処理装置の持つ能力を充分に活用することができる。
【発明を実施するための最良の形態】
【００３３】
以下、図面に基づき本発明の実施の形態を説明する。
【００３４】
図１は、本発明の実施の形態に係わる画像処理装置１０の構成を示している。画像処理装置１０は、原稿画像を読み取るスキャナ機能と、原稿画像を読み取ってその複製画像を記録紙上に形成するコピー機能と、印刷データに対応する画像を記録紙上に形成するプリンタ機能と、原稿画像を送受信するファクシミリ機能と、画像データを転送する転送機能などの複数の機能を備えた、いわゆるデジタル複合機として構成されている。
【００３５】
画像処理装置１０は、その動作を統括制御する制御部としてのＣＰＵ（中央処理装置）１１と、ＲＯＭ（リード・オンリ・メモリ）１２と、ＲＡＭ（ランダム・アクセス・メモリ）１３とを主要部とした回路で構成されている。ＲＯＭ１２は、ＣＰＵ１１が実行するプログラムや各種固定データを記憶している。ＲＡＭ１３は、ＣＰＵ１１がプログラムを実行する際に各種データを一時的に格納するワークメモリや、回転処理等を施すために画像データを少なくとも１ページ分格納するページメモリとして機能する。
【００３６】
さらに、ＣＰＵ１１にはバスを通じて読取部１４、画像処理部１５、ファクシミリ部１６、通信制御部１７、表示操作部１８、プリンタ部１９、画像記憶部２０、外部バス接続手段６０が接続されている。
【００３７】
読取部１４は、原稿画像を読み取って対応する画像データを取り込む機能を果たす。読取部１４は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えている。ラインイメージセンサはＣＣＤ（Charge Coupled Device）で構成される。ラインイメージセンサが出力するアナログ画像信号はＡ／Ｄ変換され、デジタルの画像データとして取り込まれる。
【００３８】
画像処理部１５は画像データを圧縮・伸張する機能や画像を拡大・縮小する機能、画像を回転させる機能などを果たす。ファクシミリ部１６は、ファクシミリ装置としての機能を果たす部分である。画像データをファクシミリに対応した圧縮方式で圧縮・伸張する機能や、ファクシミリ送受信のための各種通信手順を制御する機能を果たす。
【００３９】
通信制御部１７は、電話回線や各種のネットワークと接続して通信する機能を果たす。表示操作部１８は、表面にタッチパネルを備えた液晶ディスプレイと各種の操作スイッチとから構成され、ユーザに各種の案内表示や状態表示を行なったり、ユーザから各種の操作を受け付けたりする機能を有する。
【００４０】
プリンタ部１９は、画像データに対応する画像を電子写真プロセスによって記録紙上に形成して出力する機能を果たす。プリンタ部１９は、記録紙の搬送装置と、感光体ドラムと、帯電装置と、レーザーユニットと、現像装置と、転写分離装置と、クリーニング装置と、定着装置とを有する、いわゆるレーザープリンタとして構成されている。
【００４１】
画像記憶部２０は、圧縮された画像データやファクシミリデータ、印刷データなどを格納するための大容量の記憶装置である。ここではハードディスク装置（ＨＤＤ）を使用している。
【００４２】
外部バス接続手段６０は、外部シリアルバスを通じて接続されるＵＳＢデバイスや、ＵＳＢホストの接続を検知する接続検知手段としての機能を果たす。外部バス接続手段６０には、ＵＳＢホスト用の接続端子とＵＳＢデバイス用の接続端子とがある。
【００４３】
ＣＰＵ１１は、ＵＳＢデバイス認識手段３０と画面選択手段４０と機械状態遷移手段５０としての機能を果たす。ＵＳＢデバイス認識手段３０は、外部バス接続手段６０が検知したＵＳＢデバイスやＵＳＢホストの種類を認識する機能を果たす。画面選択手段４０は、ＵＳＢデバイス認識手段３０が認識したＵＳＢデバイスの種類に応じて、表示操作部１８に表示すべき画面を選択する機能を果たす。
【００４４】
機械状態遷移手段５０は、ＵＳＢデバイス認識手段３０が認識したＵＳＢデバイスの種類に対応する機械状態に遷移させる機能を果たす。機械状態とは、特定の機能を選択したときの画像処理装置１０の状態をいう。たとえば、保守モードやプリンタモード、ファクシミリモードなどがある。
【００４５】
外部シリアルバスを通じて画像処理装置１０に接続されるＵＳＢデバイスには、たとえば外部メモリ７０や保守用装置７１、キーボード７２、デジタルカメラ７３などがある。また、外部シリアルバスを通じて画像処理装置１０に接続されるＵＳＢホストには、図示省略の端末装置やパーソナルコンピュータ７４などの情報処理装置がある。
【００４６】
外部メモリ７０には、画像記憶部２０に保存されているデータのバックアップをとるためのものや、接続することによりユーザを特定したりアクセス権を認証したりする機能を果たすものなどがある。保守用装置７１は、サービスマンが保守作業を行なうための保守用ＰＣや携帯用コンピュータなどである。キーボード７２は、画像処理装置１０を操作するための入力装置である。
【００４７】
図２は、外部バス接続手段６０にＵＳＢデバイスが接続されたときの動作の流れを示している。外部バス接続手段６０のＵＳＢデバイス用の接続端子にＵＳＢデバイスが接続されると、外部バス接続手段６０はＵＳＢデバイスが接続されたことを検知する（ステップＳ１０１）。画像処理装置１０が対応しているＵＳＢデバイスには、たとえば外部メモリ７０や保守用装置７１、キーボード７２、デジタルカメラ７３などがある。
【００４８】
外部バス接続手段６０は、ＵＳＢデバイスが接続されたことをＣＰＵ（制御部）１１のＵＳＢデバイス認識手段３０に通知する（ステップＳ１０２）。この通知には、接続されたＵＳＢデバイスの種類を特定するための機器情報が含まれている。
【００４９】
ＣＰＵ１１には予め各種のデバイスドライバが組み込まれており、各デバイスドライバには、それが対象にしているＵＳＢデバイスを表わす情報が登録されている。ＵＳＢデバイス認識手段３０は、この情報と外部バス接続手段６０から受け取った通知に含まれる機器情報とを照合することで今回接続されたＵＳＢデバイスの種類を特定するようになっている（ステップＳ１０３）。
【００５０】
また、接続されたＵＳＢデバイスに対応するデバイスドライバが予めＣＰＵ１１に組み込まれていないときは、プラグアンドプレイ機能でデバイスドライバを組み込んでもよい。ＣＰＵ１１にある画面選択手段４０や機械状態遷移手段５０は、ＵＳＢデバイス認識手段３０で特定されたＵＳＢデバイス固有の制御を実施する（ステップＳ１０４）。ＵＳＢデバイス固有の制御には、接続したＵＳＢデバイスに対応する画面を選択して表示操作部１８に表示するものや、接続したＵＳＢデバイスに対応する機械状態に遷移させるものがある。
【００５１】
たとえば、接続されたＵＳＢデバイスがデジタルカメラ７３であると、画面選択手段４０は、画像ファイルの入力画面やプリントアウトする画像ファイルを選択するための画面などを選択して表示操作部１８に表示する。
【００５２】
また、接続されたＵＳＢデバイスが保守用装置７１であると、機械状態遷移手段５０は画像処理装置１０の機械状態を保守用装置７１に対応する保守モードに遷移させる。
【００５３】
図３は、外部バス接続手段６０からＵＳＢデバイスを取り除いたときの動作の流れを示している。外部バス接続手段６０のＵＳＢデバイス用の接続端子からＵＳＢデバイスが取り除かれると、外部バス接続手段６０はＵＳＢデバイスが取り除かれたことを検知する（ステップＳ２０１）。
【００５４】
外部バス接続手段６０は、ＵＳＢデバイスが取り除かれたことを示す情報をＵＳＢデバイス認識手段３０に通知する（ステップＳ２０２）。ＵＳＢデバイス認識手段３０は、この情報を画面選択手段４０や機械状態遷移手段５０に通知する。この通知を受けた画面選択手段４０や機械状態遷移手段５０は、接続されていたＵＳＢデバイス固有の制御状態を元の状態に戻す（ステップＳ２０３）。作業中にＵＳＢデバイスが取り除かれた場合も、その時点で元の状態に戻るようになっている。
【００５５】
一方、外部バス接続手段６０のＵＳＢホスト用の接続端子にＵＳＢホストが接続されると、画像処理装置１０はＵＳＢデバイスとして機能する。たとえば、ＵＳＢホストとしてパーソナルコンピュータ７４を画像処理装置１０に接続すると、画像処理装置１０はＵＳＢデバイスとして機能し、接続されたパーソナルコンピュータ７４の指示にしたがって動作するようになる。
【００５６】
画像処理装置１０のＵＳＢデバイスとしての機能には、たとえば画像記憶部（ＨＤＤ）２０を備えたストレージデバイスとしての機能や、読取部１４を備えたスキャナデバイスとしての機能などがある。
【００５７】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、画像処理装置としてデジタル複合機を例に説明したが、複写機やプリンタ、ファクシミリ装置などであってもよい。
【００５８】
実施の形態では、ＵＳＢホスト機能とＵＳＢデバイス機能を併せ持つ画像処理装置の例を説明したが、一方の機能だけを持つ画像処理装置であってもかまわない。また双方の機能を併せ持つものでは、双方の機能を並行して動作させてもよく、一方の機能が動作中のときは他方の機能を動作させないように制限してもよい。
【００５９】
ただし、ＵＳＢホスト機能とＵＳＢデバイス機能を並行して動作させるものでは、読取部１４やプリンタ部１９などの資源の利用が双方の機能で競合しないように調整するとよい。
【００６０】
実施の形態では、画像処理装置１０に1台のＵＳＢデバイスが接続されている場合を例に説明したが、バス上に複数のＵＳＢデバイスが一度に接続されていてもかまわない。
【００６１】
複数のＵＳＢデバイスを接続するときは、最先に接続されたＵＳＢデバイスが取り除かれるまで、後に接続されたＵＳＢデバイスの機能を待機させたり禁止したりするように設定するとよい。
【００６２】
また、既に接続されているＵＳＢデバイスと関連付けられたＵＳＢデバイスが新たに接続された場合には、追加の接続を許可して対応する処理を行なうように設定してもよい。
【００６３】
たとえば、画像処理装置１０に保守用装置７１が接続され機械状態が保守モードに遷移している状態で、外部メモリ７０を追加接続し、これに保守データのバックアップをとるような場合がある。
【００６４】
このほか、特定のＵＳＢデバイスの接続を画像処理装置１０の使用や保守作業などの特殊な操作を許可するための条件の1つとすれば、その特定のＵＳＢデバイスを持たない者による画像処理装置１０の使用を禁止したり制限したりして、セキュリティの向上を図ることができる。
【００６５】
また、特定のＵＳＢデバイスが接続されることによって、画像処理装置１０の使用の禁止や制限を解除するとともに、その特定のＵＳＢデバイスの目的にあった状態に遷移するように構成するとよい。より一層のセキュリティの向上を図るには、特定のＵＳＢデバイスが接続された後にさらにパスワードの入力を求めるように構成するとよい。
【図面の簡単な説明】
【００６６】
【図１】本発明の実施の形態に係わる画像処理装置の構成を示すブロック図である。
【図２】本発明の実施の形態に係わる画像処理装置の外部バス接続手段にＵＳＢデバイスが接続されたときの動作を示す流れ図である。
【図３】本発明の実施の形態に係わる画像形成装置の外部バス接続手段からＵＳＢデバイスを取り除いたときの動作を示す流れ図である。
【符号の説明】
【００６７】
１０…画像処理装置
１１…ＣＰＵ
１２…ＲＯＭ
１３…ＲＡＭ
１４…読取部
１５…画像処理部
１６…ファクシミリ部
１７…通信制御部
１８…表示操作部
１９…プリンタ部
２０…画像記憶部
３０…ＵＳＢデバイス認識手段
４０…画面選択手段
５０…機械状態遷移手段
６０…外部バス接続手段
７０…外部メモリ
７１…保守用装置
７２…キーボード
７３…デジタルカメラ
７４…パーソナルコンピュータ
【図１】
2005348125.tif 000003
【図２】
2005348125.tif 000004
【図３】
2005348125.tif 000005